(57)【要約】【課題】  洗眼液を注入した状態で液を零すことなく立てた状態で置くことができ、顔を下に向けた状態で洗眼することができると共に少ない使用量で確実に洗眼することができる洗眼用容器を提供することである。【解決手段】  上方に末広がりの横断面略楕円形状の可撓性を有する顔面目元を被覆する被覆用周壁部と、前記被覆用周壁部の下周端に連接する可撓性を有する周壁と底壁とを備えた有底状の液溜用筒状部とからなる洗眼用容器であって、前記液溜用筒状部は内部空間を略２分するように前記底壁の中央部に外側から内部側に凹んだ前記被覆用周壁部の横断面略楕円形状の長軸方向ないし短軸方向に平行な断面略逆Ｕ字形状底壁を備えていることを特徴とする洗眼用容器。【選択図】        図１
2005224333.tif 000002
【特許請求の範囲】
【請求項１】
上方に末広がりの横断面略楕円形状の可撓性を有する顔面目元を被覆する被覆用周壁部と、前記被覆用周壁部の下周端に連接する可撓性を有する周壁と底壁とを備えた有底状の液溜用筒状部とからなる洗眼用容器であって、前記液溜用筒状部は内部空間を略２分するように前記底壁の中央部に外側から内部側に凹んだ前記被覆用周壁部の横断面略楕円形状の長軸方向ないし短軸方向に平行な断面略逆Ｕ字形状底壁を備えていることを特徴とする洗眼用容器。
【請求項２】
前記液溜用筒状部の前記断面略逆Ｕ字形状底壁を挟んで対向する位置にある前記周壁が前記液溜用筒状部の前記断面略逆Ｕ字形状底壁より薄肉に形成されていることを特徴とする請求項１記載の洗眼用容器。
【請求項３】
前記底壁が前記液溜用筒状部の前記断面略逆Ｕ字形状底壁より薄肉に形成されていることを特徴とする請求項１、２のいずれかに記載の洗眼用容器。
【請求項４】
前記液溜用筒状部の前記断面略逆Ｕ字形状底壁を挟んで対向する位置にある前記周壁と前記底壁との接続部が外側を凸とする曲面状に面取りされていることを特徴とする請求項１〜３のいずれかに記載の洗眼用容器。
【請求項５】
前記断面略逆Ｕ字形状底壁の長手方向に直交する方向に補強壁が設けられていることを特徴とする請求項１〜４のいずれかに記載の洗眼用容器。
【請求項６】
前記被覆用周壁部と前記液溜用筒状部との間に周状段部が設けられていることを特徴とする請求項１〜５のいずれかに記載の洗眼用容器。
【発明の詳細な説明】
【技術分野】
【０００１】
本発明は、洗眼液を入れて眼を洗浄するための洗眼用容器に関するものである。
【背景技術】
【０００２】
従来、洗眼は医療機関で専ら行なわれていたが、近年、洗眼したい人が自身で随意に、かつ、手軽に行なうことができる洗眼用容器が市販されている。このような洗眼用容器としては、たとえば、可撓性を有する樹脂製の洗眼用容器に洗眼液を所定量注入して、この洗眼用容器を顔面目元に押し当て、この状態で上を向いて洗眼液によって眼を洗浄するようにしたものである（たとえば、特許文献１参照）。
【０００３】
しかしながら、このような使用形態の洗眼用容器は、可撓性を有する容器からなるものであるが、顔面形状が千差万別である万人すべての顔面目元にフィットした状態で密着させることは困難であり、洗眼時に洗眼液が漏れ出て顔を伝って衣服等を汚す虞がある。そこで、この種の問題を解決するものとして、洗眼時に下を向いた状態で洗眼液によって眼を洗浄することができる洗眼用容器が開発されている（たとえば、特許文献２、３参照）。
【０００４】
特許文献２に開示された洗眼用容器は、筒部から帽状の圧搾部を延設し、この圧搾部に洗眼液を注入し、筒部を顔面目元に密着させて前記圧搾部を押圧することにより洗眼液の液面を上昇させて眼を浸して洗眼することができるようにしたものであり、洗眼液で衣服等を汚す虞は殆どないが、前記圧搾部が帽状のために一時的にも何らかの上に液を零すことなく立てた状態で置くことができないために、洗眼液を前記圧搾部に注入した際には、洗眼作業を連続して行なわなければならず、時間的余裕がなく多少気分的に鬱陶しいという問題がある。
【０００５】
また、特許文献３に開示された洗眼用容器は、側壁よりも底壁の少なくとも一部を薄肉に構成し、この薄肉に構成した部分を外部から押圧することによりこの部分が容易に弾性変形するようにしたものであり、洗眼液で衣服等を汚す虞はないが、前記底壁の薄肉部を押圧することにより洗眼液の液面を上昇させて眼を浸して洗眼することができるようになっているため、底壁の変形量が小さく、特許文献１、２の洗眼用容器に比べて洗眼液の１回の使用量が多くならざるを得ず、また、片手で洗眼するには多少の困難を伴うという問題がある。
【特許文献１】特開２００１−１５７７０３号公報
【特許文献２】実公平６−６８２８号公報
【特許文献３】特開２００１−１８７１０６号公報
【発明の開示】
【発明が解決しようとする課題】
【０００６】
そこで本発明は、洗眼液を注入した状態で液を零すことなく立てた状態で置くことができ、顔を下に向けた状態で洗眼することができると共に少ない使用量で確実に洗眼することができる洗眼用容器を提供することである。
【課題を解決するための手段】
【０００７】
本発明者は、上記課題を達成するために、請求項１記載の本発明は、上方に末広がりの横断面略楕円形状の可撓性を有する顔面目元を被覆する被覆用周壁部と、前記被覆用周壁部の下周端に連接する可撓性を有する周壁と底壁とを備えた有底状の液溜用筒状部とからなる洗眼用容器であって、前記液溜用筒状部は内部空間を略２分するように前記底壁の中央部に外側から内部側に凹んだ前記被覆用周壁部の横断面略楕円形状の長軸方向ないし短軸方向に平行な断面略逆Ｕ字形状底壁を備えていることを特徴とするものである。このように構成することにより、洗眼液を注入した状態で液を零すことなく立てた状態で置くことができ、また、液溜用筒状部への洗眼液の注入量を少なくすることができると共に液溜用筒状部の断面略逆Ｕ字形状底壁を挟んで対向する位置にある周壁を互いに接近するように繰り返し押圧することにより洗眼液の液面を上下動させることができるために顔を下に向けた状態で確実に洗眼することができる。
【０００８】
また、請求項２記載の本発明は、請求項１記載の洗眼用容器において、前記液溜用筒状部の前記断面略逆Ｕ字形状底壁を挟んで対向する位置にある前記周壁が前記液溜用筒状部の前記断面略逆Ｕ字形状底壁より薄肉に形成されていることを特徴とするものである。
【０００９】
また、請求項３記載の本発明は、請求項１、２のいずれかに記載の洗眼用容器において、前記底壁が前記液溜用筒状部の前記断面略逆Ｕ字形状底壁より薄肉に形成されていることを特徴とするものである。
【００１０】
また、請求項４記載の本発明は、請求項１〜３のいずれかに記載の洗眼用容器において、前記液溜用筒状部の前記断面略逆Ｕ字形状底壁を挟んで対向する位置にある前記周壁と前記底壁との接続部が外側を凸とする曲面状に面取りされていることを特徴とするものである。
【００１１】
上記請求項２〜４のいずれかに記載の構成とすることにより、液溜用筒状部の断面略逆Ｕ字形状底壁を挟んで対向する位置にある周壁を互いに接近するように繰り返し押圧する際に小さい力で押圧して洗眼液の液面を上下動させることができるために、楽に洗眼することができる。
【００１２】
また、請求項５記載の本発明は、請求項１〜４のいずれかに記載の洗眼用容器において、前記断面略逆Ｕ字形状底壁の長手方向に直交する方向に補強壁が設けられていることを特徴とするものである。このように構成することにより、液溜用筒状部の断面略逆Ｕ字形状底壁を挟んで対向する位置にある周壁を互いに接近するように繰り返し押圧する際に、補強壁が押圧力に対するストッパーとなるために洗眼液の液面の上下動の振幅を大きくすることができると共に効率的に液面を上下動させることができ、また、押圧力が被覆用周壁部に伝播することによる被覆用周壁部の撓みを少なくすることができるために洗眼時の被覆用周壁部からの液漏れを防止することができる。
【００１３】
また、請求項６記載の本発明は、請求項１〜５のいずれかに記載の洗眼用容器において、前記被覆用周壁部と前記液溜用筒状部との間に周状段部が設けられていることを特徴とするものである。このように構成することにより、液溜用筒状部の断面略逆Ｕ字形状底壁を挟んで対向する位置にある周壁を互いに接近するように繰り返し押圧した際に、押圧力が被覆用周壁部に伝播することによる被覆用周壁部の撓みを少なくすることができるために洗眼時の被覆用周壁部からの液漏れを防止することができる。
【発明の効果】
【００１４】
本発明の洗眼用容器は、有底状の液溜用筒状部を備えた構成からなるために、洗眼液を注入した状態で液を零すことなく立てた状態で置くことができるために時間的余裕をもって洗眼することができ、また、液溜用筒状部の断面略逆Ｕ字形状底壁を挟んで対向する位置にある周壁を互いに接近するように繰り返し押圧することにより液面を上下させることができるために顔を下に向けた状態で確実に洗眼することができると共に洗眼時に洗眼液で衣服等を汚すことがなく、また、片手で洗眼することができるために楽に洗眼することができ、さらにまた、液溜用筒状部が断面略逆Ｕ字形状底壁により略２分されているために、少ない洗眼液量で確実に洗眼することができる等々の優れた効果を奏するものである。
【発明を実施するための最良の形態】
【００１５】
上記の本発明について、図面等を用いて以下に詳述する。
図１は本発明にかかる洗眼用容器の第１実施形態を示す（ａ）は正面図，（ｂ）は平面図，（ｃ）は正面図に対する右側面図，（ｄ）は底面図，（ｅ）は（ａ）のＸ−Ｘ線断面図，（ｆ）は（ｃ）のＹ−Ｙ線断面図、図２は本発明にかかる洗眼用容器の第２実施形態を示す（ａ）は正面図，（ｂ）は平面図，（ｃ）は正面図に対する右側面図，（ｄ）は底面図，（ｅ）は（ａ）のＸ’−Ｘ’線断面図，（ｆ）は（ｃ）のＹ’−Ｙ’線断面図であり、図中の１，１’は洗眼用容器、２は被覆用周壁部、３は周状段部、４は液溜用筒状部、５は補強壁、４０は周壁、４１は底壁、４２は断面略逆Ｕ字形状底壁、Ａは接合部をそれぞれ示す。
【００１６】
図１は本発明にかかる洗眼用容器の第１実施形態を示す（ａ）は正面図、（ｂ）は平面図、（ｃ）は正面図に対する右側面図、（ｄ）は底面図、（ｅ）は（ａ）のＸ−Ｘ線断面図、（ｆ）は（ｃ）のＹ−Ｙ線断面図であって、洗眼用容器１は上方に末広がりの横断面略楕円形状の可撓性を有する顔面目元を被覆する被覆用周壁部２と、該被覆用周壁部２の下周端に周状段部３を介して連接する可撓性を有する周壁４０と底壁４１とを備えた有底状の液溜用筒状部４とからなり、該液溜用筒状部４は内部空間を略２分するように前記底壁４１の中央部に外側から内部側に凹んだ前記被覆用周壁部２の横断面略楕円形状の長軸方向に平行な断面略逆Ｕ字形状底壁４２を備えているものである。そして、前記液溜用筒状部４の前記断面略逆Ｕ字形状底壁４２を挟んで対向する位置にある前記周壁４０〔図１（ｅ）上の斜線で示した箇所〕および／ないし前記底壁４１が前記液溜用筒状部４の前記断面略逆Ｕ字形状底壁４２より薄肉に形成されると共に前記周壁４０〔図１（ｅ）上の斜線で示した箇所〕と前記底壁４１との接続部Ａが外側を凸とする曲面状に面取りされ、前記周壁４０〔図１（ｅ）上の斜線で示した箇所〕を手指で互いに接近するように押圧することにより容易に弾性変形するようになっている。また、前記液溜用筒状部４の前記底壁４１を底部として立てた状態で、たとえば、洗面台等の上に安定して置くことができるようになっている。さらにまた、前記周状段部３を設けたことにより、前記液溜用筒状部４の前記断面略逆Ｕ字形状底壁４２を挟んで対向する位置にある前記周壁４０〔図１（ｅ）上の斜線で示した箇所〕を手指で互いに接近するように繰り返し押圧した際に、押圧力が前記被覆用周壁部２に伝播するのを抑制することができるために被覆用周壁部の撓みを少なくすることができ、洗眼時の前記被覆用周壁部２からの液漏れを防止することができる。
【００１７】
前記洗眼用容器１の使用方法としては、図示はしないが、まず、液溜用筒状部４の内部空間に洗眼液を注入する。洗眼液が注入された前記洗眼用容器１は立てた状態で、たとえば、洗面台等の上に安定して置くことができるために洗眼するまでの時間的な余裕があり、気分的に楽である。次に、顔を下に向けた状態で前記洗眼用容器１の前記被覆用周壁部２の上周端を目元に押し当てて顔面に密着させ、前記液溜用筒状部４の前記断面略逆Ｕ字形状底壁４２を挟んで対向する位置にある前記周壁４０〔図１（ｅ）上の斜線で示した箇所〕を手指で前記周壁４０が接近するように繰り返し押圧することにより、前記液溜用筒状部４の内部空間に注入された洗眼液の液面が上下動し、確実に眼を洗眼することができる。
【００１８】
図２は本発明にかかる洗眼用容器の第２実施形態を示す（ａ）は正面図、（ｂ）は平面図、（ｃ）は正面図に対する右側面図、（ｄ）は底面図、（ｅ）は（ａ）のＸ’−Ｘ’線断面図、（ｆ）は（ｃ）のＹ’−Ｙ’線断面図であって、洗眼用容器１’は前記断面略逆Ｕ字形状底壁４２の長手方向に直交する略逆Ｕ字形状の補強壁５を長手方向に３箇所設けた以外は図１に示す第１実施形態の洗眼用容器１と同じである。このように補強壁５を設けた構成とした洗眼用容器１’は、洗眼用容器１に比べて、前記液溜用筒状部４の断面略逆Ｕ字形状底壁４２を挟んで対向する位置にある前記周壁４０〔図１（ｅ）上の斜線で示した箇所〕を互いに接近するように繰り返し押圧した際に、前記補強壁５が押圧力に対するストッパーとなるために洗眼液の液面の上下動の振幅を大きくすることができると共に効率的に液面を上下動させることができ、また、押圧力が被覆用周壁部に伝播するのを一層抑制することができるために被覆用周壁部の撓みをより少なくすることができ、洗眼時の被覆用周壁部からの液漏れを一層防止することができる。なお、図２においては、略逆Ｕ字形状の前記補強壁５を３箇所設けた実施例を示したが、これは一例を示したものであって、これに限るものではなく、設ける箇所数や前記補強壁５の形状、厚さは、前記補強壁５の上記した機能を満足するように適宜決めればよいものである。また、前記洗眼用容器１’の使用方法については、第１実施形態の洗眼用容器１と同じであるために説明は省略する。
【００１９】
次に、前記洗眼用容器１、１’を形成する材料、および、成型方法について説明する。前記洗眼用容器１、１’を形成する材料としては、可撓性を有する材料であれば特に限定するものではないが、好ましくは熱可塑性エラストマーであり、たとえば、ポリスチレン系、ポリオレフィン系、ポリウレタン系、ポリ塩化ビニル系、ポリエステル系、ポリアミド系等のエラストマーの１種ないし２種以上を用いることができる。また、前記洗眼用容器１、１’の成型方法としては、射出成型、ブロー成型等の周知の成型方法を適宜選択して用いればよいものである。
【００２０】
なお、図１、２に示した第１、第２実施形態の洗眼用容器１、１’はいずれも、前記被覆用周壁部２と液溜用筒状部４との間に周状段部３を設けた構成を示したが、押圧力が図１、２に示した第１、第２実施形態の洗眼用容器１、１’に比べて、前記被覆用周壁部２に伝播し易くなる虞はあるが、前記周状段部３を設けることなく、前記被覆用周壁部２の下周端に直接に前記液溜用筒状部４を連接した構成としてもよいものであるし、また、前記断面略逆Ｕ字形状底壁４２を前記被覆用周壁部２の横断面略楕円形状の長軸方向に設けたものを示したが、短軸方向に設けた構成としてもよいものである。
【００２１】
また、説明は省略したが、前記被覆用周壁部２の横断面略楕円形状の長軸方向の一方の上周端は他方の上周端より相対的に高く構成されると共に前記被覆用周壁部２の上周端は滑らかな曲線形状に構成されて、前記洗眼用容器１、１’を顔面目元に押し当てた際に顔面形状に沿って密着し易い形状に構成されている。
【図面の簡単な説明】
【００２２】
【図１】本発明にかかる洗眼用容器の第１実施形態を示す（ａ）は正面図，（ｂ）は平面図，（ｃ）は正面図に対する右側面図，（ｄ）は底面図，（ｅ）は（ａ）のＸ−Ｘ線断面図，（ｆ）は（ｃ）のＹ−Ｙ線断面図である。
【図２】本発明にかかる洗眼用容器の第２実施形態を示す（ａ）は正面図，（ｂ）は平面図，（ｃ）は正面図に対する右側面図，（ｄ）は底面図，（ｅ）は（ａ）のＸ’−Ｘ’線断面図，（ｆ）は（ｃ）のＹ’−Ｙ’線断面図である。
【符号の説明】
【００２３】
１，１’                                洗眼用容器
２                                      被覆用周壁部
３                                      周状段部
４                                      液溜用筒状部
５                                      補強壁
４０                                    周壁
４１                                    底壁
４２                                    断面略逆Ｕ字形状底壁
Ａ                                      接合部
【図１】
2005224333.tif 000003
【図２】
2005224333.tif 000004